(57)【特許請求の範囲】
【請求項１】
製氷室(21)を下方から閉成する閉成姿勢および該閉成姿勢から傾いて該製氷室(21)を開放する開放姿勢との間で変位し、前記製氷室(21)に対して製氷水を供給する水皿(42)と、前記水皿(42)の下方に該水皿(42)を内側に収容するように固定され、前記水皿(42)の外周壁部(44)を囲む開口壁部(51)を有する製氷水タンク(50)とを備え、前記閉成姿勢で前記水皿(42)から流下する製氷水を前記製氷水タンク(50)に回収し、前記開放姿勢での前記製氷水タンク(50)の傾斜下端側に設けた排水口(53)から該製氷水タンク(50)内の製氷水を排出するよう構成した製氷機において、
前記排水口(53)の上方を覆う受水壁部(60,70,80)を、前記外周壁部(44)と前記開口壁部(51)との間に亘って設け、
前記外周壁部(44)、開口壁部(51)および受水壁部(60,70,80)により形成された受水案内路(63)は、開放姿勢の前記水皿(42)における傾斜下端の縁部に沿う方向において前記排水口(53)から外れた位置に、前記製氷水タンク(50)に連通する開口(63A)を設けた
ことを特徴とする製氷機。
【請求項２】
前記受水案内路(63)は、開放姿勢の前記水皿(42)における傾斜下端の縁部に沿う方向における前記排水口(53)から外れた両側に前記開口(63A,63A)を備え、
前記受水壁部(60,70)は、前記縁部に沿う方向において一方の開口(63A)から他方の開口(63A)に向け下方傾斜している請求項１記載の製氷機。
【請求項３】
前記受水案内路(63)は、開放姿勢の前記水皿(42)における傾斜下端の縁部に沿う方向における前記排水口(53)から外れた両側に前記開口(63A,63A)を備え、
前記受水壁部(80)は、前記縁部に沿う方向における中間部分(81)が最も高く、該中間部分(81)から両方の開口(63A,63A)に向け下方傾斜している請求項１記載の製氷機。
【請求項４】
前記受水壁部(60,70,80)における前記開口(63A)に臨む端部(61,62/71,72/82,83)に、該端部(61,62/71,72/82,83)から下方へ延出する突片部(64,65/73,74/84,85)を備えた請求項１〜３の何れか一項に記載の製氷機。
【請求項５】
前記受水壁部(60,70,80)は、前記製氷水タンク(50)の開口壁部(51)に一体的に設けられ、前記水皿(42)の外周壁部(44)に当接する請求項１〜４の何れか一項に記載の製氷機。
【発明の詳細な説明】
【技術分野】
【０００１】
本発明は、製氷室を下方から閉成する閉成姿勢および該閉成姿勢から傾いて該製氷室を開放する開放姿勢との間で変位する水皿を備えたクローズドセルタイプの製氷機に関するものである。
【背景技術】
【０００２】
製氷室に下向きに開口するよう設けた多数の製氷小室に製氷水を下方から噴射供給して、ブロック状の角氷(氷塊)を連続的に製造する噴射式の製氷機が広く実施に供されている。このタイプの製氷機１０は、例えば図７に示すように、略箱形をなす筐体１１の内部を上下に区画して、上側が貯氷室１２、下側が機械室１３として構成されている。貯氷室１２の内部上方には製氷機構２０が配設され、該製氷機構２０の製氷室２１で生成された氷塊は、落下して貯氷室１２内に貯留される。機械室１３には、冷凍機構を構成する圧縮機１６、凝縮器１４、冷却ファンモータ１５および膨張手段(何れも図示せず)等の部品が配設され、該冷凍機構を構成する蒸発管１７が前記製氷室２１の上面に配設されている。
【０００３】
前記製氷機構２０は、図８〜図１１に基づいて説明すると、下向きに開口した製氷小室２１Ａ(図１１参照)を多数形成した前記製氷室２１と、水皿２２と、水皿２２に下方から固定された製氷水タンク２３と、これら水皿２２および製氷水タンク２３を一体的に傾動させる水皿開閉機構２４等から構成される。前記水皿２２は、略矩形状に形成され、正面左側端の前部および後部に取付けた支持アーム２７が、筐体１１に水平に架設した取付部材２６の前後方向に離間して配設された水皿支持ブラケット２８に枢支軸２９を介して枢支され、右側端部近傍が水皿開閉機構２４で支持されている。従って水皿２２は、前記水皿開閉機構２４を正逆回動することで、前記製氷室２１を下方から閉成する水平状の閉成姿勢(図８)と、枢支軸２９を揺動中心として該製氷室２１から３０度程度に傾いて製氷室２１を開放する傾斜状の開放姿勢(図示せず)とに姿勢変位する。なお、水皿２２の上面には、製氷室２１の各製氷小室２１Ａへ製氷水を噴射する噴射孔３０用の開口３９が配設されていると共に、製氷水を製氷水タンク２３へ落下させる通水孔３１が開設されている。
【０００４】
前記製氷水タンク２３は、水皿２２の外周壁部３２を囲む開口壁部３５を備えて上方に開口するバケット形状に形成され、固定手段３６を利用して水皿２２の下方に該水皿２２を内側に収容するように固定されている。この製氷水タンク２３には、前記取付部材２６に配設した給水部２５から供給される製氷水が貯留される。そして、製氷水タンク２３の前壁左側には、水皿２２に設けた前記噴射孔３０へ製氷水を圧送する送水ポンプ３３が、該製氷水タンク２３の最深部分に配設されている。また、製氷水タンク２３の底壁右端、すなわち水皿２２の傾斜下端側(右端)に隣接する部位には、図９および図１０に示すように、該傾斜下端側に沿う前後方向へ所要長に延在する細長の排水口３７が開設されている。従って、水皿２２の開放により製氷水タンク２３が傾くことで、製氷水タンク２３内に貯留されていた製氷水が、前記排水口３７側へ移動して該排水口３７からタンク外へ排出されるよう構成されている。
【０００５】
前述のように構成された製氷機１０は、製氷運転時に、水皿２２を閉成姿勢に保持したもとで送水ポンプ３３を駆動することで、製氷水タンク２３内に貯留された製氷水が、水皿２２の各噴射孔３０から製氷室２１の各製氷小室２１Ａへ噴射される。そして、冷凍機構により製氷室２１を冷却しておくことで、該製氷小室２１Ａ内で製氷水が徐々に氷結して氷塊が形成される。ここで、製氷小室２１Ａ内で氷結しなかった製氷水は、水皿２２の上面に落下した後、前記各通水孔３１を介して製氷水タンク２３内へ落下して回収される。そして、各製氷小室２１Ａ内で氷塊の生成が完了すると、除氷運転に移行して水皿２２および製氷水タンク２３を開放姿勢へ変位させ、各製氷小室２１Ａ内に生成された氷塊を水皿２２上へ落下放出すると共に、製氷水タンク２３内の製氷水を排水口３７から排出する。なお、製氷水タンク２３の下面には排水樋３８が形成されており、製氷水タンク２３が水皿２２と共に傾動した際に、該排水樋３８の開口端が下方に位置するドレンパン１９(図７、図８)の上方へ移動して、排出された製氷水は排水樋３８を介してドレンパン１９へ回収された後に機外へ排出される。このような製氷機は、例えば特許文献１に開示されている。
【先行技術文献】
【特許文献】
【０００６】
【特許文献１】特開２００６−１７４００号公報
【発明の概要】
【発明が解決しようとする課題】
【０００７】
前記製氷機１０は、製氷運転および除氷運転を交互に繰り返して製氷室２１にて氷塊の生成を行なうが、除氷運転から製氷運転への移行した直後には製氷室２１が十分に冷却されていない。このため製氷運転開始時は、噴射孔３０から噴射された製氷水が、殆ど氷結することなく水皿２２の上面へ落下する。すなわち、製氷運転開始時には、水皿２２に開設した各通水孔３１を介した製氷水の通出落下量より、製氷室２１から水皿２２の上面へ落下する未氷結の製氷水の量が上回る場合がある。従って、水皿２２の上面に製氷水が溢れるようになり、図１１に示すように、製氷水の一部は、水皿２２の傾斜下端側(右端)へ移動して、該傾斜下端側から製氷水タンク２３へ流れ落ちるようになる。ところが、製氷水タンク２３における前記水皿２２の右端に沿う部位には前記排水口３７が形成されており、水皿２２の右端から流れ落ちた製氷水は、製氷水タンク２３における該排水口３７の近傍に落下することになる(図１１)。このため、製氷水タンク２３に落下した製氷水の一部が、排水口３７へ流れ込むことがあり得る。従って、排水口３７を介して製氷水タンク２３から排出される製氷水が発生すると、製氷水タンク２３内の製氷水が規定量以下となって製氷室２１へ製氷水が十分に供給されなくなり、氷塊の生成に支障を来たす不都合が発生してしまう。
【０００８】
そこで本発明では、前述した従来の技術に内在している課題に鑑み、これを好適に解決するべく提案されたものであって、製氷運転中に製氷水タンクから製氷水が排出するのを防止するようにした製氷機を提供することを目的とする。
【課題を解決するための手段】
【０００９】
前記課題を解決し、所期の目的を達成するため、本願請求項１に記載の発明は、
製氷室を下方から閉成する閉成姿勢および該閉成姿勢から傾いて該製氷室を開放する開放姿勢との間で変位し、前記製氷室に対して製氷水を供給する水皿と、前記水皿の下方に該水皿を内側に収容するように固定され、前記水皿の外周壁部を囲む開口壁部を有する製氷水タンクとを備え、前記閉成姿勢で前記水皿から流下する製氷水を前記製氷水タンクに回収し、前記開放姿勢での前記製氷水タンクの傾斜下端側に設けた排水口から該製氷水タンク内の製氷水を排出するよう構成した製氷機において、
前記排水口の上方を覆う受水壁部を、前記外周壁部と前記開口壁部との間に亘って設け、
前記外周壁部、開口壁部および受水壁部により形成された受水案内路は、開放姿勢の前記水皿における傾斜下端の縁部に沿う方向において前記排水口から外れた位置に、前記製氷水タンクに連通する開口を設けたことを特徴とする。
【００１０】
従って、請求項１に係る発明によれば、製氷水タンクに設けた排水口の上方に、水皿と製氷水タンクの間に亘って該排水口を覆う受水壁部を設けたことで、水皿から排水口の上方へ流れ落ちた製氷水は受水壁部で受け止められる。そして、受水壁部上に流れ落ちた製氷水は、受水案内路に沿って移動した後、開放姿勢の水皿における傾斜下端の縁部に沿う方向において製氷水タンクの該排水口から外れた位置に落下するので、該製氷水が排水口へ流れ込むことを防止し得る。
【００１１】
請求項２に記載の発明は、
前記受水案内路は、開放姿勢の前記水皿における傾斜下端の縁部に沿う方向における前記排水口から外れた両側に前記開口を備え、
前記受水壁部は、前記縁部に沿う方向において一方の開口から他方の開口に向け下方傾斜していることを要旨とする。
従って、請求項２に係る発明によれば、水皿から受水壁部上に流れ落ちた製氷水を、該受水壁部の上面に停留することなく、受水案内路の他方の開口から製氷水タンクへ円滑に落下させ得る。
【００１２】
請求項３に記載の発明は、
前記受水案内路は、開放姿勢の前記水皿における傾斜下端の縁部に沿う方向における前記排水口から外れた両側に前記開口を備え、
前記受水壁部は、前記縁部に沿う方向における中間部分が最も高く、該中間部分から両方の開口に向け下方傾斜していることを要旨とする。
従って、請求項３に係る発明によれば、水皿から受水壁部上に流れ落ちた製氷水を、該受水壁部の上面に停留することなく、受水案内路の両開口から製氷水タンクへ円滑に落下させ得る。
【００１３】
請求項４に記載の発明は
前記受水壁部における前記開口に臨む端部に、該端部から下方へ延出する突片部を備えたことを要旨とする。
従って、請求項４に係る発明によれば、受水壁部の上面の製氷水が、該受水壁部の下面側へ回り込んで排水口へ落下することを防止し得る。
【００１４】
請求項５に記載の発明は、
前記受水壁部は、前記製氷水タンクの開口壁部に一体的に設けられ、前記水皿の外周壁部に当接することを要旨とする。
従って、請求項５に係る発明によれば、万が一、水皿に対して製氷水タンクがずれた場合には製氷水が水皿の外周壁部に沿って落下するようになり、排水口への製氷水の流れ込みを最小限とし得る。
【発明の効果】
【００１５】
本発明に係る製氷機によれば、製氷運転中に製氷水タンクから製氷水が排出するのを防止し得る。
【図面の簡単な説明】
【００１６】
【図１】実施例の製氷機における製氷機構を概略的に示す正面図である。
【図２】水皿および製氷水タンクの側面図である。
【図３】水皿および製氷水タンクの要部平面図である。
【図４】図３のIV−IV線断面図である。
【図５】変更例に係る水皿および製氷水タンクの側面図である。
【図６】別の変更例に係る水皿および製氷水タンクの側面図である。
【図７】製氷機を一部破断して示す斜視図である。
【図８】図７に示す製氷機の製氷機構を概略的に示す正面図である。
【図９】水皿および製氷水タンクの要部平面図である。
【図１０】水皿および製氷水タンクの側面図である。
【図１１】図９のＸ−Ｘ線断面図であって、水皿から流れ落ちた製氷水が製氷水タンクの排水口へ流れ込む不都合を示している。
【発明を実施するための形態】
【００１７】
次に、本発明に係る製氷機につき、好適な実施例を挙げて、添付図面を参照しながら以下説明する。なお、実施例の製氷機４０は、製氷機構２０の主要部分の基本的な構成が、図７に示した従来の製氷機１０と同一であり、該製氷機１０の構成要素と同一の要素については同一の符号で指示して、詳細な説明は省略する。そして、本願発明と関連のある水皿と製氷水タンクおよびこれに関連する構成要素については、新たな符号で指示して説明する。なお、実施例の前後方向とは、製氷機４０の前後方向と同一であり、左右方向とは、製氷機４０の正面から見た左右方向を指称する。
【実施例】
【００１８】
実施例の製氷機４０における製氷機構２０の水皿４２は、図１〜図３に示すように、略矩形状に形成された上壁４３と、該上壁４３の外周端縁から下方へ延出する外周壁部４４とを備えている。そして、水皿４２の下側には、前記送水ポンプ３３に連結された送水管４５が配設され、該送水管４５には、前記製氷室２１の各製氷小室２１Ａへ製氷水を噴射する噴射孔４６が配設されている。水皿４２の上壁４３には、前記各噴射孔４６用の開口４７と、製氷水を製氷水タンク５０へ通出落下させる通水孔４８とが開設されている。
【００１９】
前記製氷水タンク５０は、図１〜図３に示すように、水皿４２の外周壁部４４を囲む開口壁部５１を備えて上方に開口するバケット形状に形成されている。そして、開口壁部５１で囲まれた開口領域に前記水皿４２を収容させ、固定手段５２を利用して該水皿４２に下方から固定されている。開放姿勢の水皿４２における外周壁部４４の傾斜下端の縁部(右端)に位置する右壁４４Ａと、製氷水タンク５０の開口壁部５１における右縦壁５１Ａとの間には、適宜の隙間Ｓが画成されており、水皿４２の上面に溜まった製氷水が、上壁４３の右端から流れ落ちて製氷水タンク５０内へ回収され得るようになっている。
【００２０】
製氷水タンク５０の底壁右端において、水皿４２の右壁４４Ａに沿う部位には、前後方向へ所要長に延在する細長の排水口５３が開設されている。この排水口５３は、水皿４２が開放姿勢に変位して製氷水タンク５０が右下がり状態に傾くと、該製氷水タンク５０の最も低い位置に到来するようになり、製氷水タンク５０内に貯留されていた製氷水が、前記排水口５３側へ移動して該排水口５３からタンク外へ排出される。なお、製氷水タンク２３の下面には、排水樋５４が形成されている。
【００２１】
そして、実施例の製氷機４０では、図１〜図３に示すように、前記排水口５３の上方を覆う受水壁部６０を、水皿４２の外周壁部４４と製氷水タンク５０の開口壁部５１との間に亘って設けてある。前記受水壁部６０は、製氷水タンク５０の開口壁部５１に一体的に設けられ、該開口壁部５１の右縦壁５１Ａから水皿４２の外周壁部４４における右壁４４Ａに向け延出して、該右壁４４Ａに当接している。そして受水壁部６０は、前記排水口５３の前後幅Ｈより幅広の前後幅Ｗに形成されている。従って排水口５３は、図３に示すように、上方から見て受水壁部６０により完全に覆われている。
【００２２】
そして、前記受水壁部６０と、水皿４２の外周壁部４４における右壁４４Ａと、製氷水タンク５０の開口壁部５１における右縦壁５１Ａとにより、前後方向に延在する受水案内路６３が形成されている。この受水案内路６３は、水皿４２の右壁４４Ａに沿う前後方向(外周壁部４４の右壁４４Ａと開口壁部５１の右縦壁５１Ａとの対向方向に対して直交する方向)において、前記排水口５３から外れた位置で製氷水タンク５０内へ連通する開口６３Ａ,６３Ａを備えている。また前記受水壁部６０は、図２に示すように、後側の開口(一方の開口)６３Ａから前側の開口(他方の開口)６３Ａに向けて緩やかに下方傾斜している。
【００２３】
また、受水壁部６０における前側の開口６３Ａに臨む前端部６１には、図２および図３に示すように、下方へ延出する前突片部６４が形成されている。この前突片部６４は、受水壁部６０の上面に流れ落ちて前端部６１へ移動した製氷水が、該前端部６１から受水壁部６０の下面側へ回り込むのを防止するためのものである。また、受水壁部６０における後側の開口６３Ａに臨む後端部６２にも、図２および図３に示すように、下方へ延出する後突片部６５が形成されている。この後突片部６４は、受水壁部６０の上面における後端部６２近傍に流れ落ちた製氷水が、該後端部６２から受水壁部６０の下面側へ回り込むのを防止するためのものである。従って、前突片部６４および後突片部６５により、水皿４２から受水壁部６０へ流れ落ちた製氷水が、該受水壁部６０の下面へ回り込んで前記排水口５３内へ落下するのを防止し得る。
【００２４】
実施例の製氷機４０では、製氷運転時に、製氷小室２１Ａ内で氷結せずに水皿４２の上面に落下した製氷水は、その多くは前記通水孔４８を介して製氷水タンク５０内へ通出落下する。また、通水孔４８から落下せずに水皿４２の上面を右方向へ移動した製氷水は、該水皿４２の右壁４４Ａから流れ落ちる。このうち、水皿４２の右壁４４Ａにおける前端近傍および後端近傍から流れ落ちた製氷水は、図２に示すように、そのまま製氷水タンク５０内に落下して該製氷水タンク５０内に回収される。
【００２５】
一方、水皿４２の右端における排水口５３の上方から流れ落ちた製氷水は、図２および図４に示すように、受水壁部６０の上面に流れ落ちる。そして、受水壁部６０の上面に流れ落ちた製氷水は、前方へ下方傾斜した受水案内路６３内を前方へ移動して、該該受水壁部６０の前端部６１から、排水口５３から外れた位置で製氷水タンク５０内へ落下して回収される。また、受水壁部６０に受け止められた製氷水は、該受水壁部６０の前端部６１に設けた前突片部６４および後端部６２に設けた後突片部６５により該受水壁部６０の下面へ回り込まず、該製氷水が排水口５３へ流れ込むことはない。
【００２６】
なお、前記受水壁部６０が、製氷水タンク５０の開口壁部５１に一体的に設けられて水皿４２の外周壁部４４に当接しているので、万が一、水皿４２に対して製氷水タンク５０がずれて受水壁部６０と外周壁部４４との間に隙間ができた場合には、製氷水が該外周壁部４４の右壁４４Ａに沿って落下するようになる。ここで、図３および図４に示すように、外周壁部４４の右壁４４Ａは排水口５３の真上から僅かにずれて位置しているため、該右壁４４Ａを伝って落下した製氷水は該排水口５３の真上に落下せず、よって排水口５３への製氷水の流れ込みを最小限とし得る。
【００２７】
従って、実施例の製氷機４０では、次のような作用効果を奏する。
(１) 製氷水タンク５０に設けた排水口５３の上方に、該排水口５３より大きいサイズの受水壁部６０を設けたことで、水皿４２から受水壁部６０上に流れ落ちた製氷水を、該排水口５３から外れた前方の位置に落下させるため、該製氷水が排水口５３へ流れ込むことを防止し得る。従って、製氷水タンク５０内の製氷水が規定量以下に減ることがなく、製氷室２１における氷塊の生成に支障を来たすことがない。
(２) 受水壁部６０が前方に向けて下方傾斜しているので、該受水壁部６０の上面に製氷水が停留することがなく、該製氷水を円滑に製氷水タンク５０へ落下させ得る。
(３) 受水壁部６０の前端部６１および後端部６２に、下方へ延出する前突片部６４および後突片部６５を設けたので、これら前端部６１および後端部６２から受水壁部６０の裏側へ製氷水が回り込むことを防止でき、製氷水が受水壁部６０の裏側へ回り込んで排水口５３へ落下することを防止し得る。
(４) 受水壁部６０が製氷水タンク５０に一体成形されると共に、該受水壁部６０の先端縁部６０Ａが水皿４２の外周壁部４４における右壁４４Ａに当接するため、水皿４２に装着される製氷水タンク５０の位置決めが適切になされ、製氷水タンク５０のがたつきを防止し得る。そして、水皿４２に対して製氷水タンク５０が位置決めされることで前記隙間Ｓが最適に保持され、該隙間Ｓが小さくなって水皿４２上の製氷水が製氷水タンク５０の開口壁部５１における右縦壁５１Ａを超えて製氷水タンク５０外へ零れることを防止し得る。
(５) 水皿４２の右端と製氷水タンク５０の開口壁部５１との間に隙間Ｓを画成した状態で該水皿４２の右壁４４Ａに受水壁部６０が当接しているので、該水皿４２および製氷水タンク５０は、位置決めされ強度が向上して変形し難くなっている。従って、例えば氷塊の生成が完了して製氷運転から除氷運転への切替え時に、氷塊に上壁４３表面が固着している水皿４２を、該氷塊から剥離させて開放姿勢へ強制的に変位させる際に、該水皿４２および製氷水タンク５０の変形を防止し得る。また、除氷運転から製氷運転への切替え時に、開放姿勢から閉成姿勢へ変位する水皿４２と製氷室２１との間に氷塊が挟み込まれた場合でも、該水皿４２および製氷水タンク５０の捻れ変形を防止し得る。
【００２８】
(変更例)
(１) 図５は、変更例に係る受水壁部７０を示す側面図である。この変更例の受水壁部７０は、水皿４２の右壁(傾斜下端側)４４Ａに沿う前後方向(外周壁部４４の右壁４４Ａと開口壁部５１の右縦壁５１Ａとの対向方向に対して直交する方向)において、前側の開口６３Ａに臨む前端部７１から後側の開口６３Ａに臨む後端部７２に向けて緩やかに下方傾斜している。従って、受水壁部７０と、水皿４２の外周壁部４４における右壁４４Ａと、製氷水タンク５０の開口壁部５１における右縦壁５１Ａとにより、前後方向に延在して前後に開口すると共に後方に向かって下方傾斜する受水案内路６３が画成されている。これにより、水皿４２の右端における排水口５３の上方から流れ落ちた製氷水は、受水壁部７０の上面で受け止められた後に受水案内路６３内を後方へ移動して、後側の開口６３Ａから製氷水タンク５０内へ落下して回収され、該製氷水が排水口５３内へ流れ込むことが防止される。また、受水壁部７０の前端部７１および後端部７２に、該各端部７１,７２から下方へ延出した前突片部７３および後突片部７４が形成されており、受水壁部７０裏側への製氷水の回り込みが防止される。従って変更例は、前記実施例と同等の作用効果が得られる。
【００２９】
(２) 図６は、別変更例に係る受水壁部８０を示す側面図である。この別変更例の受水壁部８０は、水皿４２の右壁４４Ａに沿う前後方向(外周壁部４４の右壁４４Ａと開口壁部５１の右縦壁５１Ａとの対向方向に対して直交する方向)において、前後方向における中間部分８１が最も高く、該中間部分８１から前端部８２および後端部８３に向けて徐々に下方傾斜している。従って、受水壁部８０と、水皿４２の外周壁部４４における右壁４４Ａと、製氷水タンク５０の開口壁部５１における右縦壁５１Ａとにより、前後方向に延在して前後に開口すると共に前方および後方に向かって下方傾斜する受水案内路６３が画成されている。これにより、水皿４２の右端における排水口５３の上方から流れ落ちた製氷水は、受水壁部８０の上面に受け止められた後に受水案内路６３内を前方または後方へ移動して、前側の開口６３Ａおよび後側の開口６３Ａの両方から製氷水タンク５０内へ落下して回収され、該製氷水が排水口５３内へ流れ込むことが防止される。また、受水壁部８０の前端部８２および後端部８３に、該各端部８２,８３から下方へ延出した前突片部８４および後突片部８５が形成されており、受水壁部８０裏側への製氷水の回り込みが防止される。特に、別変更例の受水壁部８０では、前後２つの開口６３Ａ,６３Ａから製氷水を製氷水タンク５０へ分散させて落下させ得るので、各開口６３Ａ,６３Ａ毎の製氷水の落下量を減らすことができ、落下量の増加により製氷水が加勢されながら落下して排水口５３側へ流れることを抑制し得る。
【００３０】
(３) 前記受水壁部６０,７０,８０は、水皿４２の外周壁部４４における右壁４４Ａに一体的に形成されて、製氷水タンク５０の開口壁部５１における右縦壁５１Ａに当接するものであってもよい。このような受水壁部８０であっても、排水口５３より大きいサイズとすることで、該排水口５３に対する製氷水の流れ込みを好適に防止し得る。また、水皿４２に対する製氷水タンク５０の位置決めも好適に図り得る。
(４) 前記受水壁部６０,７０,８０は、水皿４２および製氷水タンク５０と別体に形成されて、該水皿４２の外周壁部４４または該製氷水タンク５０の開口壁部５１に取着する形態としてもよい。この場合には、受水壁部６０,７０,８０を、水皿４２の外周壁部４４や製氷水タンク５０とは異なる材質の素材から形成することが可能である。例えば、受水壁部８０を弾力性を有する素材から形成することで、当該受水壁部６０,７０,８０と水皿４２および該受水壁部６０,７０,８０と製氷水タンク５０とを弾力的に当接させてシール性を向上させることが可能である。
(５) 受水壁部６０,７０,８０を、水皿４２または製氷水タンク５０に一体的に形成して、該受水壁部６０,７０,８０が当接する側の製氷水タンク５０または水皿４２に弾力性を有する弾性部材を取付けることで、受水壁部６０,７０,８０を弾力部材に当接させてシール性を向上するようにしてもよい。
(６) 前記前突片部６４および後突片部６５は、何れか一方だけを設けてもよい。例えば実施例では、受水壁部６０が前方へ下方傾斜していて、前端部６１から受水壁部６０の下面側への製氷水の回り込みが発生し難いので、後端部６２にだけ後突片部６５を設けても該受水壁部６０の下面側への製氷水の回り込みをある程度は防止し得る。また、図５に示した変更例では、受水壁部７０が後方へ下方傾斜していて、後端部７２から受水壁部７０の下面側への製氷水の回り込みが発生し難いので、前端部７１にだけ前突片部７３を設けることで、該受水壁部７０の下面側への製氷水の回り込みをある程度は防止し得る。
【符号の説明】
【００３１】
２１ 製氷室，４２ 水皿，４４ 外周壁部，５０ 製氷水タンク，５１ 開口壁部
５３ 排水口，６０ 受水壁部，６１ 前端部(端部)，６２ 後端部(端部)
６３ 受水案内路，６３Ａ 開口，６４ 前突片部(突片部)，６５ 後突片部(突片部)
７０ 受水壁部，７１ 前端部(端部)，７２ 後端部(端部)，８０ 受水壁部
８１ 中間部分，８２ 前端部(端部)，８３ 後端部(端部)，８４ 前突片部(突片部)
８５ 後突片部(突片部)，７３ 前突片部(突片部)，７４ 後突片部(突片部)
【図１】
0005469927.tif 000002
【図２】
0005469927.tif 000003
【図３】
0005469927.tif 000004
【図４】
0005469927.tif 000005
【図５】
0005469927.tif 000006
【図６】
0005469927.tif 000007
【図７】
0005469927.tif 000008
【図８】
0005469927.tif 000009
【図９】
0005469927.tif 000010
【図１０】
0005469927.tif 000011
【図１１】
0005469927.tif 000012